(57)【要約】【課題】燃料タンクが給油可能な状態になるまでの時間を容易に知ることができ、ユーザが長時間にわたって不快な状態に曝されることを良好に阻止することを可能にする。【解決手段】燃料タンクシステム１０を構成するＥＣＵ２４は、燃料タンク１２内の燃料Ｆの残量を検出する液体燃料貯留量検出回路４６と、タンク内圧を検出する圧力検出回路４８と、給油要求を検出する給油要求検出回路５０と、検出された前記燃料Ｆの残量と検出された前記タンク内圧とに基づいて、開閉弁２０が開放されてから前記タンク内圧が大気圧近傍になるまでの圧抜き時間を算出する圧抜き時間算出回路５２と、前記圧抜き時間が経過した後、給油口２６ａからの給油を許可する給油許可回路５４と、前記圧抜き時間算出回路５２により算出された前記圧抜き時間を、ユーザに知らせるための報知回路５６とを備える。【選択図】図１
2010120535.tif 000002
【特許請求の範囲】
【請求項１】
給油口から給油された液体燃料を貯留する燃料タンクと、
前記燃料タンク内に発生する蒸発燃料を導入する連通路と、
前記連通路に接続され、前記蒸発燃料を吸着するキャニスタと、
前記連通路に配設され、前記燃料タンクに前記液体燃料が給油される際に開弁される開閉弁と、
を備える燃料タンクシステムであって、
前記燃料タンク内に貯留されている前記液体燃料の残量を検出する液体燃料貯留量検出機構と、
前記燃料タンク内の圧力を検出する圧力検出機構と、
前記液体燃料の給油要求を検出する給油要求検出機構と、
前記液体燃料貯留量検出機構により検出された前記燃料タンク内の前記液体燃料の残量と、前記圧力検出機構により検出された前記燃料タンク内の圧力とに基づいて、前記開閉弁が開放されてから前記燃料タンク内の圧力が大気圧近傍になるまでの圧抜き時間を算出する圧抜き時間算出機構と、
前記開閉弁が開放されてから前記圧抜き時間算出機構により算出された前記圧抜き時間が経過した後、前記給油口からの前記液体燃料の給油を許可する給油許可機構と、
を備えることを特徴とする燃料タンクシステム。
【請求項２】
請求項１記載の燃料タンクシステムにおいて、前記圧抜き時間算出機構により算出された前記圧抜き時間を、前記燃料タンクシステムが搭載される車両の搭乗者に知らせるための報知機構を備えることを特徴とする燃料タンクシステム。
【請求項３】
請求項１又は２記載の燃料タンクシステムにおいて、前記圧抜き時間算出機構は、前記燃料タンク内の前記液体燃料の残量と前記燃料タンク内の圧力とにより前記燃料タンク内に発生している前記蒸発燃料の量を算出し、前記蒸発燃料の量に基づいて前記圧抜き時間を算出することを特徴とする燃料タンクシステム。
【請求項４】
請求項１又は２記載の燃料タンクシステムにおいて、前記圧抜き時間算出機構は、前記燃料タンク内の前記液体燃料の残量と前記燃料タンク内の圧力とに基づいて前記圧抜き時間を求めるテーブルを有し、前記テーブルから前記圧抜き時間を算出することを特徴とする燃料タンクシステム。
【請求項５】
請求項２〜４のいずれか１項に記載の燃料タンクシステムにおいて、前記報知機構は、音発生部を設けることを特徴とする燃料タンクシステム。
【請求項６】
請求項２〜５のいずれか１項に記載の燃料タンクシステムにおいて、前記報知機構は、車内に表示部を設けることを特徴とする燃料タンクシステム。
【請求項７】
請求項２〜６のいずれか１項に記載の燃料タンクシステムにおいて、前記報知機構は、前記給油口から視認可能な位置に設けられる表示部を備えることを特徴とする燃料タンクシステム。
【請求項８】
給油口から給油された液体燃料を貯留する燃料タンクと、
前記燃料タンク内に発生する蒸発燃料を導入する連通路と、
前記連通路に接続され、前記蒸発燃料を吸着するキャニスタと、
前記連通路に配設され、前記燃料タンクに前記液体燃料が給油される際に開弁される開閉弁と、
を備える燃料タンクシステムの給油方法であって、
前記燃料タンク内に貯留されている前記液体燃料の残量を検出する工程と、
前記燃料タンク内の圧力を検出する工程と、
前記液体燃料の給油要求を検出した際に、検出された前記燃料タンク内の前記液体燃料の残量と、検出された前記燃料タンク内の圧力とに基づいて、前記開閉弁が開放されてから前記燃料タンク内の圧力が大気圧近傍になるまでの圧抜き時間を算出する工程と、
前記開閉弁が開放されてから算出された前記圧抜き時間が経過した後、前記給油口からの前記液体燃料の給油を許可する工程と、
を有することを特徴とする燃料タンクシステムの給油方法。
【請求項９】
請求項８記載の給油方法において、算出された前記圧抜き時間を、前記燃料タンクシステムが搭載される車両の搭乗者に知らせる工程を有することを特徴とする燃料タンクシステムの給油方法。
【請求項１０】
請求項８又は９記載の給油方法において、前記燃料タンク内の前記液体燃料の残量と前記燃料タンク内の圧力とにより前記燃料タンク内に発生している前記蒸発燃料の量を算出し、前記蒸発燃料の量に基づいて前記圧抜き時間を算出することを特徴とする燃料タンクシステムの給油方法。
【請求項１１】
請求項８又は９記載の給油方法において、前記燃料タンク内の前記液体燃料の残量と前記燃料タンク内の圧力とに基づいて、前記圧抜き時間を求めるテーブルを有し、前記テーブルから前記圧抜き時間を算出することを特徴とする燃料タンクシステムの給油方法。
【請求項１２】
請求項９〜１１のいずれか１項に記載の給油方法において、算出された前記圧抜き時間を、音声又は音により前記搭乗者に知らせることを特徴とする燃料タンクシステムの給油方法。
【請求項１３】
請求項９〜１２のいずれか１項に記載の給油方法において、算出された前記圧抜き時間を、車内に表示することにより前記搭乗者に知らせることを特徴とする燃料タンクシステムの給油方法。
【請求項１４】
請求項９〜１３のいずれか１項に記載の給油方法において、算出された前記圧抜き時間を、前記給油口から視認可能な位置に表示することにより前記搭乗者に知らせることを特徴とする燃料タンクシステムの給油方法。
【発明の詳細な説明】
【技術分野】
【０００１】
本発明は、給油口から給油された液体燃料を貯留する燃料タンクと、前記燃料タンク内に発生する蒸発燃料を導入する連通路と、前記連通路に接続され、前記蒸発燃料を吸着するキャニスタと、前記連通路に配設され、前記燃料タンクに前記液体燃料が給油される際に開弁される開閉弁とを備える燃料タンクシステム及びその給油方法に関する。
【背景技術】
【０００２】
内燃機関に燃料を供給するために、燃料タンクが用いられている。この燃料タンク内では、燃料が気化した蒸発燃料（べーパ）が発生しており、前記蒸発燃料が不要に大気に拡散することを阻止するため、キャニスタが設けられている。
【０００３】
キャニスタは、活性炭等の吸着材を充填しており、蒸発燃料を吸着捕集している。この捕集された蒸発燃料は、内燃機関が駆動される際に、パージ通路を通って前記内燃機関の吸気通路にパージされている。
【０００４】
ところで、特に密閉構造の燃料タンクでは、前記燃料タンク内の圧力が相当に高圧になる場合がある。その際、燃料タンク内に燃料を給油するために、前記燃料タンクに連通する給油口が開放されると、前記燃料タンク内の蒸発燃料が前記給油口から外部に必要以上に放出されるおそれがある。
【０００５】
このため、例えば、特許文献１に開示されている内燃機関の蒸発燃料処理装置が知られている。この特許文献１は、内燃機関の停止時に燃料タンクを密閉して蒸発燃料の流出を禁止する機能を有する蒸発燃料処理装置であって、前記燃料タンクと内燃機関の吸気通路とを連通する連通経路と、前記連通経路の途中に配置された第１の開閉弁と、内燃機関の作動中に、タンク内圧が大気圧近傍値となるように前記第１の開閉弁を制御する制御装置とを備えている。
【０００６】
【特許文献１】特開２００４−１５６４９６号公報
【発明の開示】
【発明が解決しようとする課題】
【０００７】
上記の特許文献１では、給油を行うためにリッドスイッチが操作された後、タンク内圧が大気圧近傍値に降圧されるまで、給油口の開口が許可されない。その際、ユーザは、リッドスイッチを操作してから給油可能な状態になるまでに掛かる時間を知ることができない。
【０００８】
しかしながら、特に密閉構造の燃料タンクでは、タンク内圧が相当に高圧になっていると、前記タンク内圧が大気圧近傍値になるまで、かなりの時間が掛かってしまう。これにより、ユーザは、長時間にわたって不快な状態に曝されるという問題がある。
【０００９】
本発明はこの種の問題を解決するものであり、燃料タンクが給油可能な状態になるまでの時間を容易に知ることができ、ユーザが長時間にわたって不快な状態に曝されることを良好に阻止することが可能な燃料タンクシステム及びその給油方法を提供することを目的とする。
【課題を解決するための手段】
【００１０】
本発明は、給油口から給油された液体燃料を貯留する燃料タンクと、前記燃料タンク内に発生する蒸発燃料を導入する連通路と、前記連通路に接続され、前記蒸発燃料を吸着するキャニスタと、前記連通路に配設され、前記燃料タンクに前記液体燃料が給油される際に開弁される開閉弁とを備える燃料タンクシステムに関するものである。
【００１１】
燃料タンクシステムは、燃料タンク内に貯留されている液体燃料の残量を検出する液体燃料貯留量検出機構と、前記燃料タンク内の圧力を検出する圧力検出機構と、前記液体燃料の給油要求を検出する給油要求検出機構と、前記液体燃料貯留量検出機構により検出された前記燃料タンク内の前記液体燃料の残量と、前記圧力検出機構により検出された前記燃料タンク内の圧力とに基づいて、開閉弁が開放されてから前記燃料タンク内の圧力が大気圧近傍になるまでの圧抜き時間を算出する圧抜き時間算出機構と、前記開閉弁が開放されてから前記圧抜き時間算出機構により算出された前記圧抜き時間が経過した後、給油口からの前記液体燃料の給油を許可する給油許可機構とを備えている。
【００１２】
また、燃料タンクシステムは、圧抜き時間算出機構により算出された圧抜き時間を、前記燃料タンクシステムが搭載される車両の搭乗者に知らせるための報知機構を備えることが好ましい。
【００１３】
さらに、圧抜き時間算出機構は、燃料タンク内の液体燃料の残量と前記燃料タンク内の圧力とにより前記燃料タンク内に発生している蒸発燃料の量を算出し、前記蒸発燃料の量に基づいて圧抜き時間を算出することが好ましい。
【００１４】
さらにまた、圧抜き時間算出機構は、燃料タンク内の液体燃料の残量と前記燃料タンク内の圧力とに基づいて圧抜き時間を求めるテーブルを有し、前記テーブルから前記圧抜き時間を算出することが好ましい。
【００１５】
また、報知機構は、音発生部を設けることが好ましい。
【００１６】
さらに、報知機構は、車内に表示部を設けることが好ましい。
【００１７】
さらにまた、報知機構は、給油口から視認可能な位置に設けられる表示部を備えることが好ましい。
【００１８】
また、本発明は、給油口から給油された液体燃料を貯留する燃料タンクと、前記燃料タンク内に発生する蒸発燃料を導入する連通路と、前記連通路に接続され、前記蒸発燃料を吸着するキャニスタと、前記連通路に配設され、前記燃料タンクに前記液体燃料が給油される際に開弁される開閉弁とを備える燃料タンクシステムの給油方法に関するものである。
【００１９】
給油方法は、燃料タンク内に貯留されている液体燃料の残量を検出する工程と、前記燃料タンク内の圧力を検出する工程と、前記液体燃料の給油要求を検出した際に、検出された前記燃料タンク内の前記液体燃料の残量と、検出された前記燃料タンク内の圧力とに基づいて、開閉弁が開放されてから前記燃料タンク内の圧力が大気圧近傍になるまでの圧抜き時間を算出する工程と、前記開閉弁が開放されてから算出された前記圧抜き時間が経過した後、前記給油口からの前記液体燃料の給油を許可する工程とを有している。
【００２０】
さらに、給油方法は、算出された圧抜き時間を、燃料タンクシステムが搭載される車両の搭乗者に知らせる工程を有することが好ましい。
【００２１】
さらにまた、給油方法は、燃料タンク内の液体燃料の残量と前記燃料タンク内の圧力とにより前記燃料タンク内に発生している蒸発燃料の量を算出し、前記蒸発燃料の量に基づいて圧抜き時間を算出することが好ましい。
【００２２】
また、給油方法は、燃料タンク内の液体燃料の残量と前記燃料タンク内の圧力とに基づいて圧抜き時間を求めるテーブルを有し、前記テーブルから前記圧抜き時間を算出することが好ましい。
【００２３】
さらに、給油方法は、算出された圧抜き時間を、音声又は音により搭乗者に知らせることが好ましい。
【００２４】
さらにまた、給油方法は、算出された圧抜き時間を、車内に表示することにより搭乗者に知らせることが好ましい。
【００２５】
また、給油方法は、算出された圧抜き時間を、給油口から視認可能な位置に表示することにより搭乗者に知らせることが好ましい。
【発明の効果】
【００２６】
本発明では、液体燃料の給油要求が検出されると、開閉弁が開放されてから燃料タンク内の圧力が大気圧近傍になるまでの圧抜き時間、すなわち、燃料タンクが給油可能な状態になるまでの時間が算出される。このため、ユーザは、給油要求を行ってから燃料タンクが給油可能な状態になるまでの時間を容易に知ることができ、該ユーザが不快な状態に曝されることを良好に阻止することが可能になる。
【発明を実施するための最良の形態】
【００２７】
図１は、本発明の第１の実施形態に係る燃料タンクシステム１０の概略構成図である。燃料タンクシステム１０は、車両（図示せず）に搭載されるとともに、特にエンジン（図示せず）とモータ（図示せず）とを併用するハイブリッドシステムに好適に採用される。
【００２８】
燃料タンクシステム１０は、燃料（液体燃料）Ｆを貯留する密閉型燃料タンク１２と、前記燃料タンク１２内の蒸発燃料（ベーパ）をフロート１４から導入するベーパ通路（連通路）１６と、前記ベーパ通路１６に接続され、前記蒸発燃料を吸着するキャニスタ１８と、前記ベーパ通路１６に配設され、前記燃料タンク１２に前記燃料Ｆが給油される際に開弁される開閉弁２０と、前記キャニスタ１８を外気に連通させ、前記蒸発燃料がパージされる際に、該キャニスタ１８に外部空気を導入するドレン通路２１と、前記キャニスタ１８に吸着された前記蒸発燃料を、エンジン駆動時にエンジン（図示せず）に空気を供給する吸気通路に吸引（パージ）させるパージ通路２２と、ＥＣＵ（電子制御ユニット）２４とを備える。
【００２９】
燃料タンク１２には、給油パイプ部材２６の一端部が取り付けられる。給油パイプ部材２６の他端部である給油口２６ａには、キャップ２８が装着されるとともに、前記キャップ２８の近傍から燃料タンク１２の空間Ｓに臨んでブリーザパイプ３０が設けられる。
【００３０】
キャップ２８は、給油扉３２を介して外部から遮断自在に構成される。この給油扉３２は、開閉スイッチ３４の作用下に開閉されるとともに、前記開閉スイッチ３４は、ユーザ（例えば、運転者）が給油扉開放スイッチ３６を操作することにより駆動される。
【００３１】
燃料タンク１２内には、この燃料タンク１２に貯留される燃料Ｆをエンジンに供給するための燃料ポンプ３８と、前記燃料タンク１２に給油された前記燃料Ｆの給油量を検出する燃料残量計（例えば、フロート）４０とが配置される。燃料タンク１２内は、開閉弁２０が閉塞されることにより密閉される。この燃料タンク１２には、内部の圧力を検出するための圧力センサ４１が設けられる。
【００３２】
キャニスタ１８は、内部に活性炭等の吸着材（図示せず）が充填される。ベーパ通路１６には、開閉弁２０に並列してリリーフ弁４２が配設される。ドレン通路２１及びパージ通路２２には、ドレン用制御弁４４ａ及びパージ用制御弁４４ｂが配設される。パージ用制御弁４４ｂは、キャニスタ１８に吸着された蒸発燃料を、内燃機関にパージするパージ処理部を構成する。
【００３３】
ＥＣＵ２４は、燃料タンク１２内に貯留されている燃料Ｆの残量を検出する液体燃料貯留量検出回路（液体燃料貯留量検出機構）４６と、前記燃料タンク１２内の圧力を検出する圧力検出回路（圧力検出機構）４８と、前記燃料Ｆの給油要求を検出する給油要求検出回路（給油要求検出機構）５０と、前記液体燃料貯留量検出回路４６により検出された前記燃料タンク１２内の前記燃料Ｆの残量と、前記圧力検出回路４８により検出された前記燃料タンク１２内の圧力とに基づいて、開閉弁２０が開放されてから前記燃料タンク１２内の圧力が大気圧近傍になるまでの圧抜き時間を算出する圧抜き時間算出回路（圧抜き時間算出機構）５２と、前記開閉弁２０が開放されてから前記圧抜き時間算出回路５２により算出された前記圧抜き時間が経過した後、給油口２６ａからの前記燃料Ｆの給油を許可する給油許可回路（給油許可機構）５４と、前記圧抜き時間算出回路５２により算出された前記圧抜き時間を、燃料タンクシステム１０が搭載される車両の搭乗者に知らせるための報知回路５６とを備える。なお、ＥＣＵ２４には、計時手段としてタイマ５８が設けられる。
【００３４】
液体燃料貯留量検出回路４６は、燃料残量計４０の検出信号に基づいて、燃料タンク１２に貯留されている燃料Ｆの残量を検出する。圧力検出回路４８は、圧力センサ４１の検出信号に基づいて、燃料タンク１２内の圧力を検出するとともに、給油要求検出回路５０は、給油扉開放スイッチ３６のオン信号に基づいて、燃料Ｆの給油要求を検出する。
【００３５】
圧抜き時間算出回路５２は、例えば、図２に示すように、燃料タンク１２内の燃料残量（Ｆｕｅｌ  Ｌ）及びタンク内圧（Ｐ  ｔａｎｋ）と圧抜き時間（Ｔｐ）との関係を予めテーブルとして持っており、あるいは、計算式として有している。具体的には、燃料タンク１２内の燃料残量（Ｆｕｅｌ  Ｌ）が少ない程、蒸発燃料量が多く存在しており、前記燃料タンク１２内の圧力を大気圧近傍まで低下させるのに時間が掛かる。一方、燃料タンク１２の内圧（Ｐ  ｔａｎｋ）が高い程、大気圧近傍まで低下させるのに時間が掛かる。
【００３６】
ここで、大気圧近傍とは、キャップ２８が外されて給油口２６ａが大気に開放された際、前記燃料タンク１２内から前記給油口２６ａを通って必要以上の蒸発燃料が大気に放出されることがない圧力範囲をいう。
【００３７】
給油許可回路５４には、開閉弁２０が接続されており、この給油許可回路５４は、前記開閉弁２０を開閉させるための制御回路を構成する。給油許可回路５４は、燃料Ｆの給油を許可するため、圧抜き時間が経過した後、開閉スイッチ３４を駆動して給油扉３２を開放させる。なお、開閉スイッチ３４の駆動に代えて、キャップ２８の固定手段（図示せず）を解除してもよい。
【００３８】
報知回路５６には、スピーカ（音発生部）６０が接続される。このスピーカ６０は、例えば、搭乗者に対して音声により圧抜き終了までの残り時間を報知する。なお、音声に代えて、終了間近になるのに従って間隔が短くなる間欠音や高音になる電子音等を採用してもよい。
【００３９】
このように構成される燃料タンクシステム１０の動作について、第１の実施形態に係る給油方法との関連で、図３に示すフローチャートに沿って以下に説明する。
【００４０】
先ず、ユーザが給油を行うために、給油扉開放スイッチ３６をＯＮすると（ステップＳ１）、給油要求検出回路５０は、燃料Ｆの給油要求を検出する。このため、液体燃料貯留量検出回路４６は、燃料残量計４０の検出信号に基づいて、燃料タンク１２に貯留されている燃料Ｆの残量（Ｆｕｅｌ  Ｌ）を検出する（ステップＳ２）。
【００４１】
一方、圧力検出回路４８は、圧力センサ４１の検出信号に基づいて、燃料タンク１２内の圧力（以下、タンク内圧ともいう）（Ｐ  ｔａｎｋ）を検出する（ステップＳ３）。なお、ステップＳ２とステップＳ３とは、同時に又は逆に行ってもよい。
【００４２】
次いで、ステップＳ４に進んで、圧抜き時間算出回路５２は、検出された燃料Ｆの残量（Ｆｕｅｌ  Ｌ）と、検出された燃料タンク１２のタンク内圧（Ｐ  ｔａｎｋ）とに基づいて、開閉弁２０が開放されてから前記燃料タンク１２内の圧力が大気圧近傍になるまでの圧抜き時間（Ｔｐ）を算出する（図２参照）。
【００４３】
さらに、報知回路５６は、燃料タンク１２のタンク内圧（Ｐ  ｔａｎｋ）が大気圧近傍になるまでの残り時間を報知する（ステップＳ５）。具体的には、スピーカ６０から搭乗者に対して、「残り２０秒です」…「残り１０秒です」…等の音声案内を行う。
【００４４】
そして、タイマ５８による圧抜き時間（Ｔｐ）が計時されると（ステップＳ６中、ＹＥＳ）、ステップＳ７に進んで、開閉スイッチ３４が付勢されて給油扉３２が開放される。従って、給油パイプ部材２６の他端部に装着されているキャップ２８が取り外され、前記給油パイプ部材２６に燃料Ｆが注入される。これにより、燃料Ｆは、燃料タンク１２に給油され、前記燃料タンク１２内に所定量の燃料Ｆが貯留される。
【００４５】
この場合、第１の実施形態では、ユーザにより給油扉開放スイッチ３６がオンされて給油要求がなされると、検出された燃料Ｆの残量（Ｆｕｅｌ  Ｌ）と、検出された燃料タンク１２のタンク内圧（Ｐ  ｔａｎｋ）とに基づいて、開閉弁２０が開放されてから前記燃料タンク１２内の圧力が大気圧近傍になるまでの圧抜き時間（Ｔｐ）、すなわち、前記燃料タンク１２が給油可能な状態になるまでの時間が算出される。そして、報知回路５６は、燃料タンク１２のタンク内圧（Ｐ  ｔａｎｋ）が大気圧近傍になるまでの残り時間を、スピーカ６０を用いた音声ガイドによってユーザに報知している。
【００４６】
このため、ユーザは、給油扉開放スイッチ３６をオンしてから燃料タンク１２が給油可能な状態になるまでの時間を容易に知ることができる。これにより、該ユーザが長時間にわたって不快な状態に曝されることを良好に阻止することが可能になるという効果が得られる。
【００４７】
しかも、ユーザは、音声により残り時間を知ることができるため、音声が届く範囲であれば、車両周辺に居ても残り時間を容易に把握することが可能になるという利点がある。
【００４８】
図４は、本発明の第２の実施形態に係る給油方法を説明するフローチャートである。なお、図３に示す第１の実施形態と同様の工程については、その詳細な説明は省略する。
【００４９】
この第２の実施形態では、圧抜き時間算出回路５２は、燃料タンク１２内の燃料Ｆの残量（Ｆｕｅｌ  Ｌ）と、前記燃料タンク１２の内圧（Ｐ  ｔａｎｋ）とにより、前記燃料タンク１２内に発生している蒸発燃料の量を算出し、前記蒸発燃料の量に基づいて、圧抜き時間（Ｔｐ）を算出する。
【００５０】
具体的には、圧抜き時間算出回路５２は、図５に示すように、燃料残量（Ｆｕｅｌ  Ｌ）及びタンク内圧（Ｐ  ｔａｎｋ）と蒸発燃料量との関係を、予めテーブルとして、あるいは、計算式として有している。さらに、圧抜き時間算出回路５２は、蒸発燃料量と圧抜き時間（Ｔｐ）との関係を、図６に示すように、予めテーブルとして、あるいは、計算式として有している。
【００５１】
そこで、ステップＳ１１〜ステップＳ１３が行われた後、ステップＳ１４では、燃料タンク１２内の蒸発燃料の量が算出される（図５参照）。次に、ステップＳ１５に進んで、算出された蒸発燃料の量に基づいて圧抜き時間（Ｔｐ）が算出される（図６参照）。そして、ステップＳ１６以降の処理が行われる。
【００５２】
このように、第２の実施形態では、ユーザは、燃料タンク１２が給油可能な状態になるまでの時間を容易に知ることができ、該ユーザが長時間にわたって不快な状態に曝されることを良好に阻止することが可能になる等、上記の第１の実施形態と同様の効果が得られる。
【００５３】
図７は、本発明の第３の実施形態に係る燃料タンクシステムを構成する報知回路（報知機構）７０の説明図である。
【００５４】
報知回路７０は、車室内の速度メータ表示部７２に設けられる圧抜き時間表示部７４を備える。この圧抜き時間表示部７４は、燃料タンク１２のタンク内圧（Ｐ  ｔａｎｋ）が大気圧近傍になるまでの残り時間を、図８に示すように、「Ｏｐｅｎまで２０秒」…等の数字による表示を行う。
【００５５】
これにより、第３の実施形態では、ユーザは、燃料タンク１２が給油可能な状態になるまでの時間を容易に知ることができ、該ユーザが長時間にわたって不快な状態に曝されることを良好に阻止することが可能になる等、上記の第１及び第２の実施形態と同様の効果が得られる。
【００５６】
さらに、第３の実施形態では、残り時間が画面表示されるため、ユーザは、車内で残り時間を容易且つ静かに確認することができ、無駄に車外で待機する必要がなく、車内で待つことが可能になるという利点がある。
【００５７】
図９は、本発明の第４の実施形態に係る燃料タンクシステムを構成する報知回路（報知機構）８０の説明図である。
【００５８】
報知回路８０は、車室内のステアリング８２に近接するインフォメーションパネル８４上に設けられる圧抜き時間表示部８６を備える。この圧抜き時間表示部８６は、図１０に示すように、複数の横長点灯バー８８ａを設けるとともに、燃料タンク１２のタンク内圧（Ｐ  ｔａｎｋ）が大気圧近傍になるまでの残り時間を、前記横長点灯バー８８ａの点灯数を減少させることにより表示する。
【００５９】
一方、図１１に示すように、圧抜き時間表示部８６は、複数の縦長点灯バー８８ｂを設けるとともに、燃料タンク１２のタンク内圧（Ｐ  ｔａｎｋ）が大気圧近傍になるまでの残り時間を、前記縦長点灯バー８８ｂの点灯数を減少させることにより表示することもできる。
【００６０】
これにより、第４の実施形態では、ユーザは、燃料タンク１２が給油可能な状態になるまでの時間を容易に知ることができ、該ユーザが長時間にわたって不快な状態に曝されることを良好に阻止することが可能になる等、上記の第１及び第３の実施形態と同様の効果が得られる。
【００６１】
しかも、残り時間が画面表示されるため、上記の第３の実施形態と同様の効果が得られるとともに、バー表示であることから、特に直感的に残り時間を把握することができるという利点がある。
【００６２】
なお、第３の実施形態において、第４の実施形態と同様の表示方式を採用してもよく、また、第４の実施形態において、第３の実施形態と同様の表示方式を採用してもよい。
【００６３】
図１２は、本発明の第５の実施形態に係る燃料タンクシステムを構成する報知回路（報知機構）９０の説明図である。
【００６４】
報知回路９０は、車両９２の給油扉３２に近接する圧抜き時間表示部９４を備える。この圧抜き時間表示部９４は、図１３に示すように、複数のＬＥＤ９６を設けるとともに、燃料タンク１２のタンク内圧（Ｐ  ｔａｎｋ）が大気圧近傍になるまでの残り時間を、点灯するＬＥＤ９６ａの数を増加させることにより表示する。なお、圧抜き時間表示部９４は、給油扉３２に直接設けてもよく、また、前記給油扉３２の裏面に設けてもよい。
【００６５】
これにより、第５の実施形態では、ユーザは、燃料タンク１２が給油可能な状態になるまでの時間を容易に知ることができ、該ユーザが長時間にわたって不快な状態に曝されることを良好に阻止することが可能になる等、上記の第１〜第４の実施形態と同様の効果が得られる。
【００６６】
さらに、第５の実施形態では、給油口近傍に待機することができる。このため、例えば、セルフ給油では、ユーザが先に支払い手続きや油種選択を終わらせた際に効果的である一方、フルサービス給油では、店員に残り時間を知らせることが可能になるという利点がある。
【図面の簡単な説明】
【００６７】
【図１】本発明の第１の実施形態に係る燃料タンクシステムの概略構成図である。
【図２】燃料残量とタンク内圧との関係図である。
【図３】本発明の第１の実施形態に係る給油方法を説明するフローチャートである。
【図４】本発明の第２の実施形態に係る給油方法を説明するフローチャートである。
【図５】タンク内圧と蒸発燃料量との関係図である。
【図６】圧抜き時間と前記蒸発燃料量との関係図である。
【図７】本発明の第３の実施形態に係る燃料タンクシステムを構成する報知回路の説明図である。
【図８】前記報知回路を構成する圧抜き時間表示部の表示方法の説明図である。
【図９】本発明の第４の実施形態に係る燃料タンクシステムを構成する報知回路の説明図である。
【図１０】前記報知回路を構成する圧抜き時間表示部の表示方法の説明図である。
【図１１】前記報知回路を構成する他の圧抜き時間表示部の表示方法の説明図である。
【図１２】本発明の第５の実施形態に係る燃料タンクシステムを構成する報知回路の説明図である。
【図１３】前記報知回路を構成する圧抜き時間表示部の表示方法の説明図である。
【符号の説明】
【００６８】
１０…燃料タンクシステム                １２…燃料タンク
１６…ベーパ通路                        １８…キャニスタ
２０…開閉弁                            ２１…ドレン通路
２２…パージ通路                        ２４…ＥＣＵ
２６…給油パイプ部材                    ２６ａ…給油口
２８…キャップ                          ３２…給油扉
３４…開閉スイッチ                      ３６…給油扉開放スイッチ
３８…燃料ポンプ                        ４０…燃料残量計
４１…圧力センサ                        ４６…液体燃料貯留量検出回路
４８…圧力検出回路                      ５０…給油要求検出回路
５２…圧抜き時間算出回路                ５４…給油許可回路
５６、７０、８０、９０…報知回路        ５８…タイマ
６０…スピーカ                          ７２…速度メータ表示部
７４、８６、９４…圧抜き時間表示部
【図１】
2010120535.tif 000003
【図２】
2010120535.tif 000004
【図３】
2010120535.tif 000005
【図４】
2010120535.tif 000006
【図５】
2010120535.tif 000007
【図６】
2010120535.tif 000008
【図７】
2010120535.tif 000009
【図８】
2010120535.tif 000010
【図９】
2010120535.tif 000011
【図１０】
2010120535.tif 000012
【図１１】
2010120535.tif 000013
【図１２】
2010120535.tif 000014
【図１３】
2010120535.tif 000015